(57)【要約】【課題】  レール部材のキャビネット本体上への迅速設置と定位に便利な引き出しシステムに用いられる設置装置を提供する。【解決手段】  引き出しシステムに用いる設置装置は、レール部材２６及びブラケット２０を備え、レール部材２６は上壁２８ａ、下壁２８ｂ、及び側壁３０を備え、側壁３０はフック３４を備え、ブラケット２０は第一アーム４０、第二アーム４２、及び第一アーム４０と第二アーム４２との間に延伸して連接する本体４４を備え、第一アーム４０の一部分はレール部材２６の上壁２８ａに接触し、第二アーム４２の一部分はレール部材２６の下壁２８ｂに接触し、本体４４は定位孔５８を備え、レール部材２６のフック３４に対応し、これによりブラケット２０はレール部材２６に設置される。【選択図】  図４
0003191903.tif 000002
【実用新案登録請求の範囲】
【請求項１】
レール部材およびブラケットを備え、
前記レール部材は、上壁、下壁、及び当該上壁と当該下壁との間を連結する側壁を有し、当該上壁、当該下壁、及び当該側壁が共同で通路を形成し、当該側壁が当該通路外に位置するフックを有し、
前記ブラケットは、第一アーム、第二アーム、及び前記第一アームと前記第二アームとの間を連結する本体を有し、
前記第一アームは、湾曲屈折部、及び前記湾曲屈折部に連結されている支持部を有し、前記支持部が前記レール部材の上壁に対応しており、
前記第二アームは、湾曲屈折部、第一支持部、及び前記第一支持部から垂直に延伸している第二支持部を有し、前記第二支持部が前記レール部材の下壁に対応しており、
前記本体は、定位孔、前記定位孔の孔壁の上方に位置する第一壁、及び、前記定位孔の孔壁の下方に位置する第二壁を有し、
前記レール部材は、前記フックにより前記ブラケットの定位孔を貫通し、前記フックが前記ブラケットの第二壁に掛けられて設置されており、
前記ブラケットの第一アームの支持部は、前記レール部材の上壁に接触しており、
前記ブラケットの第二アームの第二支持部は、前記レール部材の下壁に接触しており、
前記ブラケットの本体は、前記レール部材の側壁に接触していることを特徴とする引き出しシステムに用いられる設置装置。
【請求項２】
前記レール部材は、前記フックに隣接する係合ロック凸体をさらに有し、
前記係合ロック凸体と前記ブラケットの定位孔内の第一壁とは、相互に接触していることを特徴とする請求項１に記載の引き出しシステムに用いられる設置装置。
【請求項３】
前記ブラケットにおいて、前記第一アーム及び前記第二アームに孔が形成されていることを特徴とする請求項１に記載の引き出しシステムに用いられる設置装置。
【請求項４】
前記フックは、連結部、及び前記連結部に連結されている係合部を有し、
前記連結部は、前記レール部材の側壁から延伸しており、
前記係合部は、前記ブラケットの本体の弾性により開かれ、前記ブラケットの本体上に係合されており、前記ブラケットの本体は、前記レール部材の側壁に接触していることを特徴とする請求項１に記載の引き出しシステムに用いられる設置装置。
【請求項５】
前記本体は、前記定位孔の片側に位置する第三壁、及び前記第三壁に相対する第四壁をさらに有し、
前記フックは、前記第三壁および前記第四壁のいずれに接触していることを特徴とする請求項１に記載の引き出しシステムに用いられる設置装置。
【請求項６】
キャビネット本体および引き出しを有する引き出しシステムに用いられる設置装置であって、
前記引き出しが前記キャビネット本体から引き出される、或いは、前記引き出しが前記キャビネット本体内に押し入れられるよう、前記キャビネット本体と前記引き出しとの間に設置されている一対のスライドレールアセンブリを備え、
前記スライドレールアセンブリは、ブラケット、固定台、支持台、およびレール部材を有し、
前記ブラケットは、前記キャビネット本体の第一位置に設置されており、第一アーム、第二アーム、及び前記第一アームと前記第二アームとの間を連結する本体を有し、前記本体が定位孔を有し、
前記固定台は、前記キャビネット本体の第二位置に設置されており、
前記支持台は、前記キャビネット本体の第三位置に設置されており、前記固定台に連結されており、
前記レール部材は、前記ブラケットと前記支持台との間に設置されており、フックを有し、
前記ブラケットは、前記レール部材のフックに掛けられており、定位されていることを特徴とする引き出しシステムに用いられる設置装置。
【請求項７】
前記固定台は、少なくとも１個の凸部を有し、
前記支持台の末端は、孔を有し、
前記孔は、少なくとも１個の孔壁が前記凸部と相互に係合していることを特徴とする請求項６に記載の引き出しシステムに用いられる設置装置。
【請求項８】
前記支持台は、固定板、及び前記固定板から垂直に延伸する支持板を有し、
前記固定板は、少なくとも１個の側孔を有し、
前記レール部材は、フック部を有し、前記フック部が前記固定板の側孔を貫通し前記固定板に係合することで、定位されていることを特徴とする請求項６に記載の引き出しシステムに用いられる設置装置。
【請求項９】
レール部材及びブラケットを備え、
前記レール部材は、フックを有し、
前記ブラケットは、第一アーム、第二アーム、および前記第一アームと前記第二アームとの間を連結する本体を有し、
前記第一アームは、湾曲屈折部、及び前記湾曲屈折部に連結されている支持部を有し、前記支持部に孔が形成されており、
前記第二アームは、前記第一アームに対応しており、湾曲屈折部、第一支持部、第二支持部、及び第三支持部を有し、
前記第一支持部は孔を有し、
前記第二支持部は前記第一支持部から垂直に延伸しており、
前記第三支持部は前記第二アームから垂直に延伸しており、前記第二支持部に隣接しており、
前記本体は、定位孔を有し、前記レール部材のフックを掛けて設置することを特徴とする引き出しシステムに用いられる設置装置。
【請求項１０】
前記レール部材は、前記フックに隣接する係合ロック凸体を有し、
前記係合ロック凸体と前記ブラケットの定位孔内の第一壁とは、相互に接触していることを特徴とする請求項９に記載の引き出しシステムに用いられる設置装置。
【考案の詳細な説明】
【技術分野】
【０００１】
本考案は、設置装置に関し、引き出しシステムに用いられる設置装置に関する。
【背景技術】
【０００２】
特許文献１に開示するブラケットは、マウンティングタブ（ｍｏｕｎｔｉｎｇ ｔａｂ ３１）を備え、スライドレール（ｓlｉｄｅ ｍｅｍｂｅｒ ６１）は、孔（ａｐｅｒｔｕｒｅ ４５）を備える。
これにより、ブラケットのマウンティングタブ（ｍｏｕｎｔｉｎｇ ｔａｂ ３１）は、スライドレール（ｓlｉｄｅ ｍｅｍｂｅｒ ６１）の孔（ａｐｅｒｔｕｒｅ ４５）内に挿入されて連接される。
スライドレールの一端部は、ブラケットにより、キャビネット本体に設置される。
【０００３】
しかし、前記の設計では、マウンティングタブ（ｍｏｕｎｔｉｎｇ ｔａｂ ３１）と孔（ａｐｅｒｔｕｒｅ ４５）との間の公差が過大であれば、ブラケットを堅固に設置することができない。
【先行技術文献】
【特許文献】
【０００４】
【特許文献１】米国特許番号第Ｕ.Ｓ.５,９０４,４１２号明細書
【考案の概要】
【考案が解決しようとする課題】
【０００５】
しかし、上述した考案は使用上に欠点があり、改善する必要がある。その原因は下記の通りである。
【０００６】
マウンティングタブ（ｍｏｕｎｔｉｎｇ ｔａｂ ３１）と孔（ａｐｅｒｔｕｒｅ ４５）との間の公差が過大であれば、ブラケットを堅固に設置することができない
【０００７】
本考案は、上述の問題に鑑みてなされたものであり、その目的は、レール部材をキャビネット本体上に迅速に設置し定位でき、さらにレール部材をキャビネット本体上に堅固に設置し定位できる引き出しシステムに用いられる設置装置を提供することにある。
【課題を解決するための手段】
【０００８】
本考案による引き出しシステムに用いられる設置装置は、レール部材およびブラケットを備える。レール部材は、上壁、下壁、及び上壁と下壁との間を連結する側壁を有する。上壁、下壁、及び側壁が共同で通路を形成し、側壁が通路外に位置するフックを有する。ブラケットは、第一アーム、第二アーム、及び第一アームと第二アームとの間を連結する本体を有する。第一アームは、湾曲屈折部、及び湾曲屈折部に連結されている支持部を有し、支持部がレール部材の上壁に対応している。第二アームは、湾曲屈折部、第一支持部、及び第一支持部から垂直に延伸している第二支持部を有し、第二支持部がレール部材の下壁に対応している。本体は、定位孔、定位孔の孔壁の上方に位置する第一壁、及び、定位孔の孔壁の下方に位置する第二壁を有する。レール部材は、フックによりブラケットの定位孔を貫通し、フックがブラケットの第二壁に掛けられて設置されている。ブラケットの第一アームの支持部は、レール部材の上壁に接触している。ブラケットの第二アームの第二支持部は、レール部材の下壁に接触している。ブラケットの本体は、レール部材の側壁に接触している。
好ましくは、レール部材は、フックに隣接する係合ロック凸体をさらに有する。係合ロック凸体とブラケットの定位孔内の第一壁とは、相互に接触している。
好ましくは、ブラケットにおいて、第一アーム及び第二アームに孔が形成されている。
好ましくは、フックは、連結部、及び連結部に連結されている係合部を有する。連結部は、レール部材の側壁から延伸している。係合部は、ブラケットの本体の弾性により開かれ、ブラケットの本体上に係合されている。ブラケットの本体は、レール部材の側壁に接触している。
好ましくは、本体は、定位孔の片側に位置する第三壁、及び第三壁に相対する第四壁をさらに有する。フックは、第三壁および第四壁のいずれに接触している。
【０００９】
キャビネット本体および引き出しを有する引き出しシステムに用いられる設置装置である。キャビネット本体と引き出しとの間に設置されている一対のスライドレールアセンブリにより、引き出しは、キャビネット本体から引き出される、或いは、キャビネット本体内に押し入れられる。スライドレールアセンブリは、ブラケット、固定台、支持台、およびレール部材を有する。ブラケットは、キャビネット本体の第一位置に設置されており、第一アーム、第二アーム、及び第一アームと第二アームとの間を連結する本体を有する。本体が定位孔を有する。固定台は、キャビネット本体の第二位置に設置されている。支持台は、キャビネット本体の第三位置に設置されている。固定台に連結されている。レール部材は、ブラケットと支持台との間に設置されており、フックを有する。ブラケットは、レール部材のフックに掛けられており、定位されている。
好ましくは、固定台は、少なくとも１個の凸部を有する。支持台の末端は、孔を有する。孔は、少なくとも１個の孔壁が凸部と相互に係合している。
好ましくは、支持台は、固定板、及び固定板から垂直に延伸する支持板を有する。固定板は、少なくとも１個の側孔を有する。レール部材は、フック部を有し、フック部が固定板の側孔を貫通し固定板に係合することで、定位されている。
【００１０】
レール部材及びブラケットを備える。レール部材は、フックを有する。ブラケットは、第一アーム、第二アーム、および第一アームと第二アームとの間を連結する本体を有する。第一アームは、湾曲屈折部、及び湾曲屈折部に連結されている支持部を有し、支持部に孔が形成されている。第二アームは、第一アームに対応しており、湾曲屈折部、第一支持部、第二支持部、及び第三支持部を有する。第一支持部は孔を有する。第二支持部は第一支持部から垂直に延伸している。第三支持部は第二アームから垂直に延伸しており、第二支持部に隣接している。本体は、定位孔を有し、レール部材のフックを掛けて設置する。
【００１１】
本考案の効果は下記の通りである。
（１）レール部材をキャビネット本体上に迅速に設置し定位することができる。
【００１２】
（２）レール部材をキャビネット本体上に堅固に設置し定位することができる。
【図面の簡単な説明】
【００１３】
【図１】本考案の一実施形態による引き出しシステムの模式図である。
【図２】本考案の一実施形態によるスライドレールアセンブリをキャビネット本体に設置する状態を示す分解斜視図である。
【図３】本考案の一実施形態によるレール部材とブラケットを示す分解斜視図である。
【図４】本考案の一実施形態によるスライドレールアセンブリの組立て状態を示す模式図である。
【図５Ａ】図３のＡ-Ａ線断面図である。
【図５Ｂ】図４のＢ-Ｂ線断面図である。
【図６】本考案の一実施形態による固定台と支持台の組立てを示す模式図である。
【考案を実施するための形態】
【００１４】
本考案の実施形態による引き出しシステムに用いられる設置装置を図面に基づいて説明する。
（一実施形態）
図１に示すように、本考案の一実施形態による引き出しシステム１０は、キャビネット本体１２、引き出し１４、及びキャビネット本体１２と引き出し１４との間に設置する一対のスライドレールアセンブリ１６を備える。
これにより、引き出し１４は、キャビネット本体１２に相対し、一対のスライドレールアセンブリ１６により、キャビネット本体１２から引き出され、或いはキャビネット本体１２内に押し入れられ収納される。
【００１５】
本実施形態中ではさらに、引き出し１４に装置する一対のゴミ箱１８を備え、これにより引き出しシステム１０を、ゴミ収集の家具とすることができる。
【００１６】
図２に示すように、本実施形態によるスライドレールアセンブリ１６は、ブラケット２０、固定台２２、支持台２４及びレール部材２６を備える。
ブラケット２０は、キャビネット本体１２の第一位置に設置する。
固定台２２は、キャビネット本体１２の第二位置に設置する。
支持台２４は、キャビネット本体１２の第三位置に設置し、支持レール部材２６を支え、しかも支持台２４は、固定台２２に連接する。
【００１７】
レール部材２６は、ブラケット２０と支持台２４との間に設置する。
好ましくは、第一位置は、キャビネット本体１２の開口に近接し、第二位置は、キャビネット本体１２の背面にあり、第三位置は、第一位置と第二位置との間にある。
【００１８】
図３及び図４に示すように、レール部材２６は、上壁２８ａ、下壁２８ｂ、及び上壁２８ａと下壁２８ｂとの間に延伸して連接する側壁３０を備える。
上壁２８ａ、下壁２８ｂ、及び側壁３０は、共同で通路３２を定義する。
【００１９】
側壁３０は、フック３４、及びフック３４に隣接する係合ロック凸体３６を備える。
フック３４は、通路３２外に位置する。
係合ロック凸体３６は、上壁２８ａに近接する係合ロック面３８を備える。
詳述すれば、フック３４は、連結部３４１、及び連結部３４１に連接する係合部３４２を備える。
連結部３４１はおおよそ、レール部材２６の側壁３０から延伸し、係合部３４２は、レール部材２６の側壁内側との間に、所定の第一距離ｄ１を備える。
【００２０】
ブラケット２０は、第一アーム４０、第二アーム４２、及び第一アーム４０と第二アーム４２との間に延伸して連接する本体４４を備える。
第一アーム４０は、湾曲屈折部４６、及び湾曲屈折部４６に延伸して連接する支持部４８を備える。
支持部４８は、レール部材２６の上壁２８ａに対応し、支持レール部材２６の上壁２８ａを支え、支持部４８は、孔５０を備える。
第二アーム４２は、第一アーム４０に対応し、第二アーム４２は、湾曲屈折部５２、第一支持部５４ａ、第一支持部５４ａからおおよそ垂直に延伸する第二支持部５４、及び第三支持部５４ｃを備える。
【００２１】
第一支持部５４ａは、孔５６を備える。
第二支持部５４ｂは、レール部材２６の下壁２８ｂに対応し、支持レール部材２６の下壁２８ｂを支える。
第三支持部５４ｃはおおよそ、第二アーム４２から垂直に延伸し、第三支持部５４ｃは、第二支持部５４ｂに隣接し、しかも第三支持部５４ｃは、支持レール部材２６の下壁２８ｂを支える。
【００２２】
本体４４は、定位孔５８、定位孔５８の孔壁上方に位置する第一壁６０ａ、定位孔５８の孔壁下方に位置する第二壁６０ｂ、定位孔５８の片側に位置する第三壁６０ｃ、及び第三壁６０ｃに相対する第四壁６０ｄを備える。
本体４４は、厚みｔを備える。
【００２３】
組立て時には、レール部材２６は、フック３４により、ブラケット２０の定位孔５８を通過し、フック３４を、ブラケット２０の第二壁６０ｂに掛けて設置する。
この時、ブラケット２０の第一アーム４０の支持部４８は、レール部材２６の上壁２８ａに接触し、ブラケット２０の第二アーム４２の第二支持部５４ｂは、レール部材２６の下壁２８ｂに接触し、ブラケット２０の本体４４は、レール部材２６の側壁３０に接触する。
さらに、レール部材２６の係合ロック凸体３６の係合ロック面３８とブラケット２０の第一壁６０ａの相互接触により、ブラケット２０は、レール部材２６に堅固に設置される。
これにより、レール部材２６のフック３４は、第三壁６０ｃか第四壁６０ｄのどちらかに接触する。
【００２４】
図５Ａ及び図５Ｂに示すように、フック３４は、ブラケット２０の厚みｔの影響を受け、第一距離ｄ１は、弾性で第二距離ｄ２まで広がり、フック３４の係合部３４２の復位弾力により、ブラケット２０を係合する。
こうして、レール部材２６の側壁３０は、ブラケット２０の本体４４に接触し、これによりブラケット２０はより堅固にレール部材２６に設置される。
【００２５】
また、支持台２４は、固定板６２、及び固定板６２よりおおよそ垂直に延伸する支持板６４を備える。
固定板６２は、少なくとも１個の側孔６６を備える。
好ましくは、固定板６２は、複数の側孔６６を備える。
レール部材２６は、フック部６８を備える。
フック部６８の少なくとも１個の部分は、固定板６２の一方の側孔６６を通過し、固定板６２上に係合して定位する。
【００２６】
図６に示すように、固定台２２は少なくとも１個の凸部７０を備える。
支持台２４の末端は、孔７２を備える。
孔７２の少なくとも１個の孔壁は、凸部７０と相互に係合して定位する。
【００２７】
上述の実施形態による説明を総合すると、本考案の操作、使用、及び本考案が生じる効果を充分理解することができる。しかし、以上に述べた実施形態は単に本考案の好ましい実施形態であり、これによって本考案を限定することではない。即ち本考案の明細書に記載の内容に基づいて、同等効果を有する簡単な変化及び修飾は、全て、本考案に属するものとする。
【符号の説明】
【００２８】
１０  引き出しシステム
１２  キャビネット本体  
１４  引き出し
１６  スライドレールアセンブリ
１８  ゴミ箱
２０  ブラケット
２２  固定台
２４  支持台
２６  レール部材  
２８ａ  上壁
２８ｂ  下壁  
３０  側壁
３２  通路
３４  フック
３４１  連結部  
３４２  係合部
３６  係合ロック凸体
３８  係合ロック面
４０  第一アーム
４２  第二アーム
４４  本体
４６  湾曲屈折部  
４８  支持部  
５０  孔
５２  湾曲屈折部  
５４ａ  第一支持部  
５４ｂ  第二支持部  
５４ｃ  第三支持部  
５６  孔
５８  定位孔
６０ａ  第一壁
６０ｂ  第二壁
６０ｃ  第三壁
６０ｄ  第四壁
６２  固定板
６４  支持板  
６６  側孔
６８  フック部
７０  凸部
７２  孔
ｄ１  第一距離
ｄ２  第二距離
ｔ  厚み
【図１】
0003191903.tif 000003
【図２】
0003191903.tif 000004
【図３】
0003191903.tif 000005
【図４】
0003191903.tif 000006
【図５Ａ】
0003191903.tif 000007
【図５Ｂ】
0003191903.tif 000008
【図６】
0003191903.tif 000009